(57)【特許請求の範囲】
【請求項１】
Ｕターン形式の階段の折り返し部に仮設される足場であって、
作業者が乗る床部と、
前記床部を支持すると共に前記折り返し部の外端縁に沿って配置される床支持部と、を備え、
前記床支持部は、内側に前記階段の折り返し通路を形成しており、
前記床支持部は、互いに対向する第１及び第２の脚体と、前記第１及び第２の脚体を連結する連結体と、を有し、
平板状の前記床部は、前記第１及び第２の脚体により両端部が支持されて前記折り返し部の奥行き方向に並設された複数の板材からなり、
手前側の板材が隣接する板材と連結され、前記手前側の板材が前記隣接する板材の上に重ね得るように構成されており、
前記手前側の板材は、その下面に固定されて前記脚体を把持する把持部材を有することを特徴とする足場。
【請求項２】
前記床支持部は、平面視においてコ字状をなすことを特徴とする請求項１記載の足場。
【請求項３】
前記第１及び第２の脚体のそれぞれは、上下方向に延びる第１及び第２の軸線回りを回動可能なように前記連結体に対して取り付けられると共に、前記第１及び第２の軸線を含む平面に対して垂直な回動位置で前記床部によって固定されることを特徴とする請求項２記載の足場。
【請求項４】
少なくとも手前側の板材は前記床支持部に対して着脱自在であることを特徴とする請求項２または３記載の足場。
【請求項５】
前記第１及び第２の脚体の少なくとも一方は、前記階段の段板面に接触する一対の足部を有し、
前記一対の足部の少なくとも一方は、その長さが調整自在であることを特徴とする請求項１〜４のいずれか一項記載の足場。
【請求項６】
前記床部の高さは、上階の床高さに対応していることを特徴とする請求項１〜５のいずれか一項記載の足場。
【発明の詳細な説明】
【技術分野】
【０００１】
本発明は、Ｕターン形式の階段の折り返し部に仮設される足場に関する。
【背景技術】
【０００２】
従来、下記特許文献１〜３に記載されるように、建物等の建設時や改築時において階段に仮設される足場が知られている。特許文献１に記載された足場では、３段以上隔てて立設された支持脚体の間に床部が架設されており、この床部が、複数の作業段から構成されている。特許文献２に記載された足場では、高さが調節可能な脚体に歩み板（床部）が架設されると共に、その脚体には、左右の側壁を押圧するアームが設けられている。特許文献３に記載された足場では、脚体にジャッキが設けられ、このジャッキにより足場の盛替えを容易にしている。
【先行技術文献】
【特許文献】
【０００３】
【特許文献１】実開昭６１−２６８５２号公報
【特許文献２】特開平６−３４６５８８号公報
【特許文献３】実公平７−３５０１３号公報
【発明の概要】
【発明が解決しようとする課題】
【０００４】
上記のような足場を階段に仮設すると、足場の床面上に作業者が乗って作業を行うこととなるが、一方で、他の作業者が階段を昇降する必要性が生じる場合もある。具体的には、他の作業者が上下階の間を移動したり、階段を利用して資材を運搬したりする場合等である。この場合、仮設された足場が障害となって、他の作業者は階段を昇降し難くなるおそれがある。
【０００５】
例えば、商業施設やビル等のように階段を複数備えた大規模な建物であれば、他の作業者は、足場が設置されていない他の階段を利用することができる。また、階段の幅寸法が十分大きければ、足場を階段の幅方向の片側に寄せることにより、他の作業者の通路を確保することもできる。また、新築工事の場合であれば、建物の外部に階段や昇降機を仮設することもできる。
【０００６】
しかしながら、例えば戸建て住宅等のように小規模な建物の場合、階段が複数設置されることは稀であり、多くの場合、階段は１つである。しかも、その階段の幅は比較的小さい。また、新築工事においても、コストやスペース上の制約から、外部に階段や昇降機を仮設することは実際には困難である。
【０００７】
階段には種々の形式があるが、その一種として、途中で１８０度折り返すいわゆるＵターン形式の階段がある。このＵターン形式の階段においても、折り返し部に足場を仮設した場合には、上述したのと同様の問題が生じる。すなわち、Ｕターン形式の階段の折り返し部に足場を仮設すると、その足場が障害となって、他の作業者は階段を昇降し難くなるという問題があった。
【０００８】
本発明は、Ｕターン形式の階段の折り返し部に仮設された場合においても、他の作業者が容易に階段を昇降することができる足場を提供することを目的とする。
【課題を解決するための手段】
【０００９】
本発明に係る足場は、Ｕターン形式の階段の折り返し部に仮設される足場であって、作業者が乗る床部と、床部を支持すると共に折り返し部の外端縁に沿って配置される床支持部と、を備え、床支持部は、内側に階段の折り返し通路を形成しており、床支持部は、互いに対向する第１及び第２の脚体と、第１及び第２の脚体を連結する連結体と、を有し、平板状の床部は、第１及び第２の脚体により両端部が支持されて折り返し部の奥行き方向に並設された複数の板材からなり、手前側の板材が隣接する板材と連結され、手前側の板材が隣接する板材の上に重ね得るように構成されており、手前側の板材は、その下面に固定されて脚体を把持する把持部材を有することを特徴とする。
【００１０】
本発明に係る足場によれば、折り返し部に足場を仮設することで、作業者は、床部に乗って折り返し部の上方における種々の作業を行うことができる。ここで、床部を支持する床支持部は、折り返し部の外端縁に沿って配置される。さらに、この床支持部の内側には折り返し通路が形成される。このため、他の作業者は、折り返し通路を通りながら階段を昇降することができる。よって、Ｕターン形式の階段の折り返し部に足場が仮設された場合においても、足場が障害となることが防止され、他の作業者は容易に階段を昇降することができる。
【００１１】
ここで、床支持部は、平面視においてコ字状をなすと好適である。
【００１２】
上記構成によれば、互いに対向する第１及び第２の脚体と、これらの脚体を連結する連結体とは、折り返し部の外端縁に沿って配置され、平面視においてコ字状をなす。これにより、床支持部には、折り返し部の手前側に向けて開放された開放部が形成される。そして、この開放部が折り返し通路の出入り口となり、他の作業者は折り返し通路に対して容易に出入りすることができる。さらには、床支持部がコ字状をなして折り返し通路を形成するため、床支持部は、他の作業者が階段を昇降する際のガイドとして機能する。例えば、建物の建設途中において折り返し部の外壁が未完成の場合であっても、床支持部によって、階段を昇降する他の作業者の外部への落下を防止することができる。
【００１３】
また、第１及び第２の脚体のそれぞれは、上下方向に延びる第１及び第２の軸線回りを回動可能なように連結体に対して取り付けられると共に、第１及び第２の軸線を含む平面に対して垂直な回動位置で床部によって固定されると好適である。
【００１４】
上記構成によれば、第１及び第２の脚体のそれぞれが床部によって固定されるため、上記したコ字状の形態が確実に形成される。また、第１及び第２の脚体のそれぞれは第１及び第２の軸線を含む平面に対して垂直な回動位置で固定されるため、第１及び第２の脚体同士の間隔が下方に向かうにつれて広がるようなことがなく、第１及び第２の脚体は互いに平行に保たれることとなる。その結果として、足場としての安定性が高められる。
【００１５】
また、少なくとも手前側の板材は床支持部に対して着脱自在であると好適である。
【００１６】
上記構成によれば、手前側の板材を床支持部から脱着することにより、折り返し通路の手前側の上面に開放部が形成される。よって、足場全体を移動したりバラしたりしなくとも、例えば資材を運搬する場合などにおける取り回しの自由度を向上させることができ、他の作業者による作業をよりスムーズに行うことができる。
【００１７】
また、第１及び第２の脚体の少なくとも一方は、階段の段板面に接触する一対の足部を有し、一対の足部の少なくとも一方は、その長さが調整自在であると、第１の脚体または第２の脚体が高さの異なる２つの段板面に跨る場合であっても、足部の長さを調整することによって、支障なく且つ安定して足場を仮設することができる。
【００１８】
また、床部の高さは、上階の床高さに対応していると、床部と上階の床との間に作業板を架設することができ、折り返し部と上階とを連絡する直線部の上方にも平坦な床を仮設することができる。
【発明の効果】
【００１９】
本発明に係る足場によれば、Ｕターン形式の階段の折り返し部に仮設された場合においても、他の作業者が容易に階段を昇降することができる。
【図面の簡単な説明】
【００２０】
【図１】本発明の参考形態に係る足場の斜視図である。
【図２】図１中の床支持部を展開させた状態を示す正面図である。
【図３】図１の足場における床部の取り付け構造の説明図である。
【図４】折り返し部に図１の足場を設置した状態を示す斜視図である。
【図５】（ａ）及び（ｂ）は、折り返し方向の異なる階段に適用した場合における床支持部を示す上面図である。
【図６】手前側の板材を取り外した状態を示す斜視図である。
【図７】上階との間に作業板を架設した状態を示す斜視図である。
【図８】一実施形態に係る足場において手前側の板材を跳ね上げた状態を示す斜視図である。
【発明を実施するための形態】
【００２１】
以下、本発明の実施形態について、図面を参照しながら説明する。なお、図面の説明において同一要素には同一符号を付し、重複する説明は省略する。
【００２２】
図１は、参考形態に係る足場１の斜視図である。図１に示すように、足場１は、建物等の建設時や改築時において、階段に仮設されるものである。段差を有する階段２０上に足場１を仮設することにより、平坦な床面が形成される（図４参照）。作業者Ａは、この足場１上に乗り、階段２０上部の内部造作工事や設備工事等を行うことができる。
【００２３】
足場１は、途中で１８０度折り返すいわゆるＵターン形式の階段２０に仮設される足場である。足場１は、階段２０の折り返し部２１に仮設される。Ｕターン形式の階段には、昇り方向を基準として右に折り返す形式の階段と、左に折り返す形式の階段とがある。足場１は、左右に折り返す形式の階段、すなわち左右勝手の違う階段のいずれに対しても用いることができる。
【００２４】
足場１は、作業者Ａが乗る平板状の床部２と、折り返し部２１に立設されると共に床部２を支持する床支持部１０と、を備えている。
【００２５】
まず、床支持部１０について説明する。床支持部１０は、互いに対向する第１の脚体１１及び第２の脚体１２と、第１の脚体１１及び第２の脚体１２を連結する連結体１３と、を有している。第１の脚体１１及び第２の脚体１２のそれぞれは、複数の棒状部材から構成された略長方形状の枠体である。第１の脚体１１、第２の脚体１２、及び連結体１３は、金属製である。
【００２６】
図１及び図２に示すように、第１の脚体１１は、上下方向に延びると共に互いに平行に配置された足部１１ａ及び足部１１ｂを有している。この一対の足部１１ａ，１１ｂは、第１の脚体１１における側枠に相当する。足部１１ａ，１１ｂは、上端部において上枠１１ｃにより連結されている。また、足部１１ａ，１１ｂは、下部において下枠１１ｄにより連結されている。足部１１ａ，１１ｂは、下枠１１ｄの下方に延出している。足部１１ａ，１１ｂの下端には、底面に滑り止めのゴム板を有する円錐台形状の下端板１１ｆ，１１ｇが設けられている。
【００２７】
第２の脚体１２は、上下方向に延びると共に互いに平行に配置された足部１２ａ及び足部１２ｂを有している。この一対の足部１２ａ，１２ｂは、第２の脚体１２における側枠に相当する。足部１２ａ，１２ｂは、上端部において上枠１２ｃにより連結されている。また、足部１２ａ，１２ｂは、下部において下枠１２ｄにより連結されている。足部１２ａ，１２ｂは、下枠１２ｄの下方に延出している。足部１２ａ，１２ｂの下端には、底面に滑り止めのゴム板を有する円錐台形状の下端板１２ｆ，１２ｇが設けられている。
【００２８】
第１の脚体１１及び第２の脚体１２は、下端板１１ｆ，１１ｇ，１２ｆ，１２ｇの底面が階段２０の段板面（例えば図４の第１の段板面２１ａ，２１ｄ）に接触するようにして立設される。
【００２９】
ここで、第１の脚体１１の上下方向の長さは、第２の脚体１２の上下方向の長さよりも短くなっている。より具体的には、足部１１ａ，１１ｂは、足部１２ａ，１２ｂよりも短くなっている。
【００３０】
足部１１ａには、下枠１１ｄとの連結位置より下側において伸縮機構１１ｅが設けられている。伸縮機構１１ｅは、下枠１１ｄの下方における足部１１ａの延出長さを自在に調整する機能を有する。足部１１ａの下端（下端板１１ｆの底面）の位置は、伸縮機構１１ｅによって、図２の実線で示す足部１１ｂに等しい位置から、図２の仮想線で示す足部１１ｂよりも所定長さ下方に延びた位置までの間で調整可能になっている。ここでの所定長さは、例えば階段１段分の段差に相当する。
【００３１】
足部１２ｂには、下枠１２ｄとの連結位置より下側において伸縮機構１２ｅが設けられている。伸縮機構１２ｅは、下枠１２ｄの下方における足部１２ｂの延出長さを自在に調整する機能を有する。伸縮機構１２ｅによって、足部１２ｂの下端（下端板１２ｇの底面）の位置は、図２の実線で示す足部１２ａに等しい位置から、図２の仮想線で示す足部１２ａよりも所定長さ下方に延びた位置までの間で調整可能になっている。ここでの所定長さは、例えば階段１段分の段差に相当する。
【００３２】
第１の脚体１１の足部１１ｂ及び第２の脚体１２の足部１２ａの長さは固定されている。足部１１ｂの長さは、足部１２ａの長さよりも例えば２〜６段分の段差だけ短くなっている。なお、足部１１ａ，１１ｂ，１２ａ，１２ｂのすべてに伸縮機構を設けてもよいし、いずれか１本の足部に伸縮機構を設けてもよい。さらには、足部１１ａ，１１ｂ，１２ａ，１２ｂのいずれにも伸縮機構を設けず、足部１１ａ，１１ｂ，１２ａ，１２ｂの長さが予め決められていてもよい。
【００３３】
連結体１３は、水平方向に延びると共に互いに平行に配置された棒状の上枠１３ａ及び下枠１３ｂを有している。上枠１３ａ及び下枠１３ｂの長さは等しくなっている。
【００３４】
上枠１３ａの両端は、第１の脚体１１の足部１１ａ及び第２の脚体１２の足部１２ａに連結されている。上枠１３ａの両端に設けられた連結部１３ｆ，１３ｆは、上下方向に延びる円筒状の部分を有している。連結部１３ｆ，１３ｆは、足部１１ａ，１２ａの上端部から多少低い位置において、足部１１ａ，１２ａを保持している。足部１１ａ，１２ａのそれぞれは、連結部１３ｆ，１３ｆの円筒状の部分内に配置され、上枠１３ａに対して回動可能になっている。
【００３５】
また、下枠１３ｂの両端は、第１の脚体１１の足部１１ａ及び第２の脚体１２の足部１２ａに連結されている。下枠１３ｂの両端に設けられた連結部１３ｇ，１３ｇは、上下方向に延びる円筒状の部分を有している。連結部１３ｇ，１３ｇは、足部１１ａ，１２ａの下枠１１ｄ，１２ｄとの連結位置より多少高い位置において、足部１１ａ，１２ａを保持している。足部１１ａ，１２ａのそれぞれは、連結部１３ｇ，１３ｇの円筒状の部分内に配置され、下枠１３ｂに対して回動可能になっている。
【００３６】
上枠１３ａ及び下枠１３ｂは、上下方向に延びる縦枠１３ｅにより連結されている。また、上枠１３ａ及び下枠１３ｂには、縦枠１３ｅとの連結位置と足部１２ａとの間の長さを調整自在とする伸縮機構１３ｃ，１３ｄがそれぞれ設けられている。
【００３７】
上記構成を有する床支持部１０において、第１の脚体１１は、連結体１３に保持された足部１１ａの軸線Ｘ１回りを回動可能になっている。また、第２の脚体１２は、連結体１３に保持された足部１２ａの軸線Ｘ２回りを回動可能になっている。すなわち、第１の脚体１１及び第２の脚体１２のそれぞれは、上下方向に延びる各軸線Ｘ１，Ｘ２回りを回動可能なように連結体１３に対して取り付けられている。
【００３８】
第１の脚体１１及び第２の脚体１２は、軸線Ｘ１，Ｘ２を含む平面に対して平行な位置（図２に示す展開状態）を基準として、その平面の一方側と他方側とに少なくとも９０度回動可能になっている（図５（ａ），（ｂ）も参照）。
【００３９】
次に、床部２について説明する。図１に示すように、床部２は、軸線Ｘ１，Ｘ２を含む平面に直交する方向（図４に示す奥行き方向）に並設された２枚の床板３，４から構成されている。床板３，４は、鋼製である。床板３，４は、連結体１３の延在方向（図４に示す幅方向）の長さよりも多少長い長辺を有する長方形状をなしている。
【００４０】
床板３，４の長手方向（図４に示す幅方向）の両端部下面には、脚体１１，１２を把持する把持部材としてＣ字状のバネ６が固定されている（図３参照）。このバネ６に脚体１２，１３の上枠１１ｃ，１２ｃが嵌め込まれることにより、バネ６が上枠１１ｃ，１２ｃを把持すると共に、第１の脚体１１及び第２の脚体１２が固定される。床板３，４を取り付けることにより、第１の脚体１１及び第２の脚体１２は、軸線Ｘ１，Ｘ２を含む平面すなわち連結体１３を含む鉛直平面に対して垂直な回動位置で固定される。また、床板３，４は、上方に引っ張り上げられることにより、上枠１１ｃ，１２ｃから脱着される。このように、床板３，４は床支持部１０に対して着脱自在になっている。
【００４１】
以上説明した足場１の使用方法について説明する。図４は、Ｕターン形式の階段２０の折り返し部２１に足場１を設置した状態を示す斜視図である。ここでは、昇り方向を基準として右に折り返す形式の階段２０に足場１を仮設する場合について説明する。
【００４２】
階段２０は、例えば戸建て住宅において１階と２階との間に設けられた階段である。階段２０は、折り返し部２１において１８０度折り返された形状になっている。階段２０は、この折り返し部２１と、１階と折り返し部２１とを直線状に結ぶ下側の直線部２２と、折り返し部２１と２階とを直線状に結ぶ上側の直線部２３と、を有している。折り返し部２１には、低い方から順に、第１の段板面２１ａ、第２の段板面２１ｂ、第３の段板面２１ｃ、及び第４の段板面２１ｄの４つの略扇状の段板面が形成されている。
【００４３】
図４に示す階段２０の折り返し部２１に足場１を仮設する場合、足部１１ａ及び足部１１ｂの長さは等しくなっている。また、足部１２ａ及び足部１２ｂの長さは等しくなっている。足部１１ａ，１１ｂは最も高い第４の段板面２１ｄ上に立設されると共に、足部１２ａ，１２ｂは最も低い第１の段板面２１ａ上に立設される。ここでは、足部１１ａ，１１ｂの長さは、足部１２ａ，１２ｂの長さよりも３段分の段差だけ短くされ、その結果、床部２は水平に保たれる。さらに、床部２の上面の高さは、２階の床２６（図８参照）の高さに等しくなっている。
【００４４】
図５（ａ）は、図４に示す場合における床支持部１０を示す上面図である。図５（ａ）に示すように、連結体１３は、折り返し部２１の奥行き方向奥側の端縁３１に沿って配置される。また、第１の脚体１１は、上側の直線部２３に連絡する側端縁３３に沿って配置され、第２の脚体１２は、下側の直線部２２に連絡する側端縁３２に沿って配置される。すなわち、床支持部１０は、折り返し部２１の外端縁である端縁３１〜３３に沿って配置されて、平面視においてコ字状をなしている。
【００４５】
上記構成により、床支持部１０は、その内側に折り返し通路１５を形成している。折り返し通路１５は、幅方向の両側においては脚体１１，１２によって、奥行き方向の奥側においては連結体１３によって、上下方向の両側においては床部２及び段板面２１ａ〜２１ｄによって画成されている。折り返し通路１５の奥行き方向手前側には、足部１１ｂを上底とし、足部１２ｂを下底とする略台形状の開放部１６が形成されている（図４参照）。折り返し通路１５は、折り返し部２１に足場１が仮設された状態においても、他の作業者による階段２０の昇降を許容する。
【００４６】
足場１によれば、折り返し部２１に仮設することで、作業者Ａは、床部２に乗って折り返し部２１の上方における種々の作業を行うことができる。しかも、他の作業者は、床支持部１０の内側に形成された折り返し通路１５を通りながら階段２０を昇降することができる。よって、Ｕターン形式の階段２０の折り返し部２１に足場１が仮設された場合においても、足場１が障害となることが防止され、他の作業者は容易に階段２０を昇降することができる。
【００４７】
この効果は、例えば戸建て住宅等のように小規模な建物であって、幅の狭い階段が１つだけ設置される場合には、顕著に発揮される。また、外部に施工用の階段や昇降機を仮設することが困難な場合にも、上記効果は顕著に発揮される。
【００４８】
また、互いに対向する第１の脚体１１及び第２の脚体１２と、これらの脚体１１，１２を連結する連結体１３とが折り返し部２１の外端縁３１〜３３に沿って配置され、平面視においてコ字状をなすため（図５（ａ）参照）、床支持部１０には、折り返し部２１の奥行き方向手前側に向けて開放された開放部１６が形成される。この開放部１６が折り返し通路１５の出入り口となり、他の作業者は折り返し通路１５に対して容易に出入りすることができる。さらには、床支持部１０がコ字状をなして折り返し通路１５を形成するため、床支持部１０は、他の作業者が階段２０を昇降する際のガイドとして機能する。例えば、建物の建設途中において折り返し部の外壁が未完成の場合であっても、床支持部１０によって、階段２０を昇降する他の作業者の外部への落下を防止することができる。
【００４９】
また、第１の脚体１１及び第２の脚体１２のそれぞれが床部２によって固定されるため、上記したコ字状の形態が確実に形成される。また、第１の脚体１１及び第２の脚体１２のそれぞれは軸線Ｘ１，Ｘ２を含む平面に対して垂直な回動位置で固定されるため、第１の脚体１１及び第２の脚体１２同士の間隔が下方に向かうにつれて広がるようなことがなく、第１の脚体１１及び第２の脚体１２は互いに平行に保たれる。その結果として、足場としての安定性が高められる。
【００５０】
上記の効果は、図５（ａ），（ｂ）に示すような左右勝手違いの階段２０，４０に足場１を仮設する場合、特に顕著に発揮される。すなわち、連結体１３を中心として第１の脚体１１及び第２の脚体１２のそれぞれを１８０度回動させることにより、床支持部１０を面対称の形状に変化させることができる。よって、右に折り返す階段２０または左に折り返す階段４０のいずれであっても、高い方の段板上（図５（ａ）の段板面２１ｄまたは図５（ｂ）の段板面４１ｄ）に第１の脚体１１を立設すると共に、低い方の段板上（図５（ａ）の段板面２１ａまたは図５（ｂ）の段板面４１ａ）に第２の脚体１２を立設し、且つ、連結体１３を折り返し部２１，４１の奥側の端縁３１に沿わせることで、折り返し通路１５を容易に形成することができる。このように、足場１は階段のＵターン方向によらず適用できるため、汎用性が非常に高い。
【００５１】
さらにまた、足場１を使用しない収納時においては、床部２を取り外して第１の脚体１１及び第２の脚体１２を折りたたみ、床支持部１０をコンパクトに収納することもできる。
【００５２】
また、図６に示すように、奥行き方向手前側の床板４を床支持部１０から脱着することにより、足場１の手前側の上面に長方形状の開放部１７が形成される。よって、足場１全体を移動したりバラしたりしなくとも、例えば資材を運搬する場合などにおける取り回しの自由度を向上させることができ、他の作業者による作業をよりスムーズに行うことができる。
【００５３】
また、上記の場合、奥行き方向奥側の床板３を床支持部１０上に残すことにより、第１の脚体１１及び第２の脚体１２は床板３によって固定されて互いに平行に保たれるため、足場１の安定性を保つことができる。
【００５４】
また、足部１１ａ及び足部１２ｂの長さが調整自在であるため、第１の脚体１１または第２の脚体１２が高さの異なる２つの段板面に跨る場合であっても、足部１１ａ，１２ｂの長さを調整することによって、支障なく且つ安定して足場１を仮設することができる。
【００５５】
また、図７に示すように、床部２の高さが２階の床２６の高さに等しいため、床部２と２階の床２６との間に作業板２７を架設することができ、折り返し部２１と２階とを連絡する直線部２３の上方にも平坦な床を仮設することができる。
【００５６】
Ｕターン形式の階段は、段板が扇状に複数形成される等、折り返し部の構成が複雑であることが多い。足場１によれば、どのような構成の折り返し部であっても、他の作業者の通路を確保しつつ容易且つ確実に足場１を仮設することができる。
【００５７】
図８は、一実施形態に係る足場１Ａの斜視図である。図８の足場１Ａが参考形態の足場１と異なる点は、床部２に代えて、蝶番５０で互いに連結された２枚の床板３Ａ，４Ａから構成される床部２Ａを備えた点である。この場合、手前側の床板４Ａを跳ね上げて床支持部１０から脱着し、床板３Ａ上に重ねることで、足場１Ａの手前側の上面に長方形状の開放部１７が形成される。よって、上述した足場１と同様の作用・効果を得ることができる。
【００５８】
以上、本発明の実施形態について詳述したが、本発明は上記実施形態に限られるものではない。例えば、第１の脚体及び第２の脚体は、複数の棒状部材から構成された枠体である場合に限られず、棒状部材と板状部材とによって構成されてもよい。また、連結体は、上枠１３ａと下枠１３ｂとによって脚体１１，１２を連結する場合に限られず、板状部材であってもよい。連結体は、脚体１１，１２を互いに平行に保つよう、脚体１１，１２のそれぞれに対して上下方向の２点以上で連結されているか、または、上下方向に連続的に連結されていてもよい。
【００５９】
また、床部の上面の高さは、２階の床２６の高さと多少異なってもよい。また、床部は、２枚の床板３，４から構成される場合に限られず、３枚以上の板材から構成されてもよい。第１の脚体、第２の脚体、及び連結体は樹脂製であってもよい。また、床板は、木製であってもよい。
【００６０】
また、床支持部は、平面視においてコ字状をなす場合に限られず、奥行き方向手前側が開放された台形状であってもよいし、奥行き方向奥側に膨らむように湾曲した形状であってもよい。
【符号の説明】
【００６１】
１，１Ａ…足場、２、２Ａ…床部、３，３Ａ…床板（板材）、４，４Ａ…床板（板材）、１０…床支持部、１１…第１の脚体、１１ａ，１１ｂ…足部、１２…第２の脚体、１２ａ，１２ｂ…足部、１３…連結体、２０，４０…階段、２１，４１…折り返し部、２６…２階の床（上階の床）、３１〜３３…端縁（外端縁）、Ａ…作業者、Ｘ１…第１の軸線、Ｘ２…第２の軸線。
【図１】
0005859736.tif 000002
【図２】
0005859736.tif 000003
【図３】
0005859736.tif 000004
【図４】
0005859736.tif 000005
【図５】
0005859736.tif 000006
【図６】
0005859736.tif 000007
【図７】
0005859736.tif 000008
【図８】
0005859736.tif 000009